Podtech/llm-jp-corpus-v4-ja_patent huggingface dataset:
(57)【要約】【課題】  本発明は、従来のバストラインを美しくする、補正タイプのブラジャーでは背筋を伸ばした状態において通常の呼吸はできましたが深呼吸時や、背中を丸めるなどの姿勢が変わるときつくなり辛い思いをしていました、ブラジャーの使用は不可欠になった現在において、本発明は美しいバストラインをいつまでも、また、いかなるときも維持したい女性の望みをかなえ、姿勢に対応した締め付けないブラジャーを提供する。【解決手段】ブラジャーの背面開きには、カギホック掛け側、又は受け側、前面、両サイドいずれかにU字型のバネを縦に着け、さらにU字型バネを上下逆向きに着け、ブラジャー前面開きには背面中央部、前面、両サイドいずれかにU字型のバネを縦に着け、さらにU字型バネを上下逆向きに着け、引き合う力をU字型バネがV字に開き、バネ上部空間を確保して胸部の締め付けを軽減する。【選択図】図３
2007197847.tif 000002
【特許請求の範囲】
【請求項１】
ブラジャーのカギホック背面掛け側、又は背面受け側、両サイド、前面いずれかにU字型のバネを縦に着け、さらにU字型バネを上下逆向きに着け、背中を丸めた姿勢時や、深呼吸時にさらに強くなるブラジャーの伸縮部分からの引き合う力をU字型バネがV字に開き、バネ上部空間を確保して胸部の締め付けを軽減し、直立姿勢、通常呼吸時にはU字型バネが閉じ、美しいバストラインを形成することを目的とするブラジャー。
【発明の詳細な説明】
【技術分野】
【０００１】
本考案は、人体の動きに合わせ、ブラジャー伸縮部分の締め付けを軽減し、呼吸を楽にし、バストの形を美しく維持するブラジャーに関するものである。
【背景技術】
【０００２】
従来のバストラインを美しく保つ補正タイプのブラジャーにおいて、背面中央部連結するデザインでは、体形の変化に合わせてカギホックがあり、サイズを変更できましたが、伸縮部分には限界があり、姿勢に対応し、伸縮部分が呼吸時以上に広がるブラジャーはありませんでした、また、伸縮のゆるいタイプのブラジャーは補正力が弱くバストラインを美しく保つことはできませんでした。  
【発明の開示】
【発明が解決しようとする課題】
【０００３】
従来のバストラインを美しくする補正タイプのブラジャーでは背筋を伸ばした状態において通常の呼吸はできましたが深呼吸時や、背中を丸めるなどの姿勢が変わるときつくなり辛い思いをしていました。    
【課題を解決するための手段】
【０００４】
ブラジャーの背面開きには、カギホック掛け側、又は受け側、両サイド、前面いずれかにU字型のバネを縦に着け、さらにU字型バネを上下逆向きに着け、ブラジャー前面開きには背面中央部、両サイド、前面いずれかにU字型のバネを縦に着け、さらにU字型バネを上下逆向きに着け、引き合う力をU字型バネがV字に開き、U字型バネ上部に空間を確保して胸部の締め付けを軽減する。
【発明の効果】
【０００５】
本発明は、ブラジャーの使用は不可欠になった現在において、美しいバストラインはいつまでも、また、いかなるときも維持したい女性の望みをかなえ、姿勢に対応した締め付けないブラジャーを提供する。
【発明を実施するための最良の形態】
【０００６】
本発明は、ブラジャーの背面開きには、カギホック掛け側、又は受け側、両サイド、前面いずれかにU字型のバネを縦に着け、さらにU字型バネを上下逆向きに着け、ブラジャー前面開きには背面中央部、両サイド、前面いずれかにU字型のバネを縦に着け、さらにU字型バネを上下逆向きに着け、背中を丸めた姿勢時に胸囲が広がり、伸縮部分からの引き合う力をU字型バネが開き、U字型バネ上部に空間を確保して胸部の締め付けを軽減し、通常時にはU字形バネが閉じ、美しいバストラインを形成する。
【実施例１】
【０００７】
本発明を図面の実施例について説明すると図1は背面部、図２はカギホックをはずした背面拡大部、図３は使用図を示す、まず、図３ブラジャーを装着した背面部において、U字型バネが開いた状態である。
【産業上の利用可能性】
【０００８】
女性にとって、ブラジャーは無くてはならないものですが、従来の補正力の強いブラジャーを着けると、直立ならいいのですが姿勢をかえると胸部を締め付けて呼吸が辛く、身軽に動作ができませんでした。本発明を使えば、動きに合わせてU字型バネが開き胸部を締め付けず、バストを美しく形作ります。
【図面の簡単な説明】
【０００９】
【図１】背面部説明図である。（実施例１）
【図２】カギホック開放時説明図である。（実施例１）
【図３】使用時背面説明図である。（実施例１）
【符号の説明】
【００１０】
１    ブラジャー背面部
２    U字型バネ
３    上下逆U字型バネ
４    カギホック
【図１】
2007197847.tif 000003
【図２】
2007197847.tif 000004
【図３】
2007197847.tif 000005
(57)【要約】【課題】普段では出来ない髪形を疑似毛髪つき帽子を着帽する事により老若男女を問わず簡単に髪方を変える事が出来て疑似毛髪を折り返し編み込む事で疑似毛髪の抜け落ち、はずれを防止し長髪形の帽子を提供する【解決手段】帽子本体１に疑似毛髪２を折り返し編み込み３を行う事により疑似毛髪の抜け落ちを防止し長髪形の帽子にする事が出来る。又３編み込み後  疑似毛髪の繊維の束をくしなどを用いほぐす４事により作業コストを軽減させた【選択図】図１
2007197884.tif 000002
【特許請求の範囲】
【請求項１】
帽子に毛髪又は繊維を縫付ることにより、普段出来ないヘアースタイルに簡単になれる
【請求項２】
帽子に毛髪又は繊維を折り返して縫う事により、手髪材が抜け落ちにくくなりロングヘアーも可能となる
【請求項３】
毛髪又は繊維を束ねて縫い付け、縫い付け後ほぐして細かく分ける為製作工程を短縮する事が出来る
【発明の詳細な説明】
【技術分野】
【０００１】本発明は普段では出来なかった髪形を疑似毛髪つき帽子を着帽する事により老若男女を問わず簡単に髪形を変える事が出来る帽子を提供したい【０００２】疑似毛髪の抜け落ち又はずれを防止する事により長髪形の帽子を提供したい
【背景技術】
【０００３】従来は、帽子のふち部分にはさみ込む形の一部分形、又帽子に網状のネットを取付けかつらを固定させるなど帽子本体に疑似毛髪を編み込む形の帽子はなかった
【発明の開示】
【発明が解決しようとする課題】
【０００４】従来は、疑似毛髪の取付方法によって、疑似毛髪の抜け落ち、はずれなどの課題があった【０００５】従来は疑似毛髪の抜け落ち、はずれなどの強度の関係で長髪形の帽子には問題があった【０００６】従来は疑毛髪の細い１本１本の取付では、コストがかかりすぎる課題があった
【課題を解決する為の手段】
【０００７】疑似毛髪の抜け落ち、はずれ防止する為  帽子本体に疑似毛髪を編み込む形にした
【０００８】疑似毛髪の抜け落ち防止の為  図２−１帽子本体に図２−２疑似毛髪を折り返し編み込みその後繰り返し重ねる事により抜け落ち、防止した
【０００９】疑似毛髪  毛髪、アクリル、ニット木綿など素線を束ねひも状にした物を帽子に編み入み編み込み後くしなどを用い繊維をほぐす事により作業コストを軽減させた
【発明の効果】
【００１０】自分の髪が薄くなり悩んでいる方は多いはず、でもカツラをつけるのは、抵抗がある
しかし本発明は帽子であるので気軽に着用する事が出来る  又若者にとっては、簡単に帽子をかぶるだけで普段とは違う髪形に変身する事が出来る様になる
又疑似毛髪を帽子に折り返し編み込みする事で長髪の髪形が出来る様になり自分で疑似毛髪を好みの形に編む事も可能となった
【実施例１】
【００１１】帽子本体図２の１について夏用の網目の帽子又は、ニット素材の編込布地でもよい
図２−２疑似毛髪ニット、アクリル、木綿、毛の素線を束ね紐状にしたもの直径２〜３ｍｍ長さ８０ｃｍ〜１００ｃｍ程を図２−３の様に折り返し編み込む複数重ねる事で強度が増す
編み込み後図２−４疑似毛髪直径２〜３ｍｍ紐状をくしなどによりほぐし素線の状態に戻す
【実施例２】
【００１２】図１−５の編み込み長髪を長くしてマフラーとしても使用出来る
【図面の簡単な説明】
【００１３】
【図１】本発明の側面図である
【図２】本発明の側面図の詳細である
【符号の説明】
【００１４】１帽子本体
２疑似毛髪
３編み込み
４疑似毛髪繊維のほぐし
５長髪
【図１】
2007197884.tif 000003
【図２】
2007197884.tif 000004
(57)【要約】      （修正有）【課題】本発明は、独自形態のクールビズ用ミニネクタイ簡単に形状を変えてカッターシャツの胸元のポケットに入れることによりおしゃれでアクセサリー的ワンポイントを作ることが可能にする。【解決手段】ミニネクタイの形状をロール状や３つ折り、トルネード状に変えるてカッターシャツの胸ポケットに入れて、コーディネイトを楽しむことができ、また社章やアクセサリーを取り付けて、より一層のお洒落楽しむ事ができるミニネクタイの提供。【選択図】図１
2007197883.tif 000002
【特許請求の範囲】
【請求項１】
クールビズ時のカッターシャツの胸ポケットを飾るミニネクタイ。
【請求項２】
様々な絵柄のミニネクタイを取り替えることができ、アクセサリーや社章を付けてより一層のお洒落を楽しむことができる。
【発明の詳細な説明】
【発明の詳細な説明】
【技術分野】
【０００１】本発明は、クールビズ時のカッターシャツにそれをコーディネイトするようなミニネクタイをカッターシャツの胸ポケットに入れてアクセサリー的要素を出す道具である。本来、首に締めるネクタイを胸ポケットにいれることによって一層のファッション性を演出するものである。
【背景技術】
【０００２】カッターシャツの胸ポケットにファッション性のあるアクセサリー的なものが無かった。
【発明が解決しようとする課題】
【０００３】クールビズ時の殺風景なカッターシャツの胸元をカラフルにするアクセサリー的なミニネクタイを作ろうとする課題を有する。
【課題を解決する為の手段】
【０００４】上記課題を解決する為に、本発明におけるミニネクタイは通常のネクタイより一回り短く、若干薄くて細く胸ポケットに入りやすくしたものである。カッターシャツの絵柄にミニネクタイのデザインをコーディネイトすることにより、ファッション性を出すことができる。
【０００５】そして、上記のミニネクタイは簡単にセットすることができる。
【０００６】また、ミニネクタイの材質は通常のネクタイの材質（絹・綿・化繊等）と同じで対応できる。
【発明を実施するための最良の形態】
【０００７】  （イ）ミニネクタイの長さは４０ｃｍから６０ｃｍとする。  （ロ）ミニネクタイをロール状にしたり３つ折りにしたりトルネード状等にして好みの形状を作る。  （ハ）ミニネクタイの形状は人それぞれのアイデアにより形状を作ることができる。
【発明の効果】
【０００８】本発明は、上記のとおりに構成されているので次の効果を奏する。
【０００９】請求項１については、ミニネクタイをカッターシャツとコーディネイトさせることによりカッターシャツの胸ポケットを飾るものである。
【００１０】請求項２については、カッターシャツの柄に応じて様々なデザインを取り替えることができ、アクセサリーや社章を付けてより一層のお洒落を楽しむことができる。
【図面の簡単な説明】
【図１】クールビズ用ネクタイの形状例である。
【図２】クールビズ用ネクタイの形状例である。
【図３】クールビズ用ネクタイの形状例である。
【符号の説明】
Ａ      アクセサリーＢ，Ｃ  社章Ｄ      社章を固定する鍵穴
【図１】
2007197883.tif 000003
【図２】
2007197883.tif 000004
【図３】
2007197883.tif 000005
(57)【要約】【課題】大型のガラス基板を、コストを掛けずに容易に所望の方向に分割することができるガラス基板分割方法を提供する。【解決手段】大型のガラス基板１０を湾曲させ、湾曲した部分の一端縁分部に分割ヘッド１４で衝撃を加えて分割する。衝撃を加える端縁部は、湾曲による曲率の最大値の位置であり、ガラス基板１０の面に沿った方向に衝撃を加える。ガラス基板１０は、両側縁部近傍と中央部近傍をローラ１６，１８の列により支持して搬送し、分割に際して中央部の支持を解除してガラス基板１０を撓ませ、衝撃を加える。【選択図】図１
2007197284.tif 000002
【特許請求の範囲】
【請求項１】
大型のガラス基板を湾曲させ、湾曲した部分の一端縁分部に衝撃を加えて、前記ガラス基板を分割することを特徴とするガラス基板分割方法。
【請求項２】
前記湾曲させたガラス基板に衝撃を加える端縁部は、湾曲による曲率が最大の位置であり、前記ガラス基板の面に沿った方向に衝撃を加えることを特徴とする請求項１記載のガラス基板分割方法。
【請求項３】
前記ガラス基板は、両側縁部近傍を支持し、自重で撓んだ状態で衝撃を加えることを特徴とする請求項２記載のガラス基板分割方法。
【請求項４】
前記ガラス基板は、両側縁部近傍と中央部近傍をローラの列により支持して搬送し、分割に際して中央部の支持を解除して前記ガラス基板を撓ませ、衝撃を加えることを特徴とする請求項３記載のガラス基板分割方法。
【発明の詳細な説明】
【技術分野】
【０００１】
この発明は、液晶ディスプレイなどに用いられるガラス基板の大型の原板を分割するガラス基板分割方法に関する。
【背景技術】
【０００２】
液晶ディスプレイに用いられるガラス基板は、一枚の大型のガラス基板から個々のディスプレイ用に複数のガラス基板に分割して用いられている。このガラス基板の原板は、近年の液晶テレビなどの大型化と製造工程の効率化に伴い、しだいに大型化している。この大型化したガラス基板に不良等が発見された場合、そのガラス基板全体を廃棄しなければならないが、特に２ｍ角以上の大型のガラス基板の場合その処理に際して、小さく分割して廃棄している。
【０００３】
ガラス基板分割方法には、特許文献１，２に開示されているように、予め分割するためのスクライブ線が描かれ、その線に沿って振動又は圧力を加えながら分割するものであった。
【特許文献１】特開平５−２９７３３４号公報
【特許文献２】特開２０００−２４７６７０号公報
【発明の開示】
【発明が解決しようとする課題】
【０００４】
しかしながら、上記従来の技術の場合、液晶等の製品に組み込むためのガラス基板の分割であるため、正確に分割することを前提としているものであり、コスト及び時間がかかるものである。また、液晶パネル用大型ガラス基板は極めて丈夫であり、単に分割しようとしても、むやみに力を加えただけでは容易には割れず、割れたとしても不確定な形状に割れ、後の処理がかえって面倒なものとなる。
【０００５】
この発明は、上記従来技術の問題に鑑みて成されたもので、大型のガラス基板を、容易にコストを掛けずに所望の方向に分割することができるガラス基板分割方法を提供することを目的とする。
【課題を解決するための手段】
【０００６】
この発明は、大型のガラス基板を湾曲させ、湾曲した部分の一端縁分部に衝撃を加えて、前記ガラス基板を分割するガラス基板分割方法である。さらに、前記湾曲させたガラス基板に衝撃を加える端縁部は、湾曲による曲率の最大値の位置であり、前記ガラス基板の面に沿った方向に衝撃を加えるものである。
【０００７】
前記ガラス基板は、両側縁部近傍を支持し、自重で撓んだ状態で衝撃を加えるものである。また、前記ガラス基板は、両側縁部近傍と中央部近傍をローラの列により支持して搬送し、分割に際してその分割位置またはその手前で、中央部の支持を解除して前記ガラス基板を撓ませ、衝撃を加えるものである。
【発明の効果】
【０００８】
この発明のガラス基板分割方法によれば、ガラス基板に衝撃を加えるだけで、簡単且つ正確に湾曲面に沿って直線的にきれいに分割することができ、廃棄等の後処理を安価に容易に行うことができる。
【発明を実施するための最良の形態】
【０００９】
以下、この発明のガラス基板分割方法の第一実施形態について、図１、図２を基にして説明する。この実施形態のガラス基板分割方法は、例えば液晶ディスプレイに使用されるガラス基板の原板である大型のガラス基板１０について、製品化できない不良があり廃棄する際に、小さくするために分割するものである。
【００１０】
この実施形態のガラス基板分割方法は、まず、不良が発見されたガラス基板１０は、図示しない分割処理用ローラコンベア１２に移載されて、搬送される。分割処理用コンベア１２は、図１（ａ）に示すように、二対のローラ１６，１８の列によりガラス基板１０を支持して搬送する。分割処理部に運ばれた不良ガラス基板１０は、図１（ｂ）に示すように、円弧状に一方向に湾曲される。このとき、図２に示すように、分割処理用コンベア１２の二対のローラ１６，１８の各列のうち、内側の一対のローラ１８の列が、分割位置で側方下方に退避する。これにより分割処理用ローラコンベア１２は、両側縁部近傍の一対のローラ１６の列によりガラス基板１０を支持することになる。
【００１１】
そして、分割処理用ローラコンベア１２により所定の湾曲状態になったところで、図１（ｃ）に示すように、円弧状に湾曲したガラス基板１０の曲率の最大値の箇所、即ち湾曲の頂点の側縁部に、先端が尖った分割ヘッド１４を衝突させ、衝撃を与える。
【００１２】
このとき、Ｕ字状に湾曲したガラス基板１０は、一方向にＵ字状に湾曲されているので、湾曲の頂点ａの端縁部に衝撃が加えられると、Ｕ字状に湾曲している場合、Ｕ字状の頂点ａに沿った直線で割れる。これは、Ｕ字状の頂点ａに沿った直線上は、ガラス基板１０内の応力が最大となっている部分であるので、ガラス基板１０は、湾曲の頂点に沿った直線で、自身の応力によりきれいに分割される。
【００１３】
この実施形態のガラス基板分割方法によれば、ガラス基板１０を湾曲させるだけで、分割が可能となり、衝撃を加えることにより、きれいに一直線に分割される。しかも、湾曲及び衝撃を与える装置は簡単な装置で良く、コストもかからない分割方法である。
【００１４】
なお、この発明のガラス基板分割方法は上記実施形態に限定されるものではなく、湾曲方法は、自重により撓ませるもの以外に、何らかの外力を加えて撓ませるものでも良く、例えばガラス基板中央部を押圧した状態で湾曲させ、端縁に衝撃を加えるものでも良い。
【図面の簡単な説明】
【００１５】
【図１】この発明の一実施形態のガラス基板分割方法を示す工程図である。
【図２】この発明の一実施形態の分割処理用ローラコンベアのローラを示す正面図である。
【符号の説明】
【００１６】
１０  ガラス基板
１２  分割処理用ローラコンベア
１４  分割ヘッド
１６，１８  ローラ
【図１】
2007197284.tif 000003
【図２】
2007197284.tif 000004
(57)【要約】  【課題】治療効果の高い歯槽膿漏用の治療薬を提供することを課題とする。  【解決手段】歯槽膿漏治療剤として、粉末状の重曹（NaHCO３）と、粉末状の塩（NaCl）とを重量比１：１の割合で混合する。この歯槽膿漏治療薬剤を歯ブラシに十分につけて、患部全体を磨き、次に、デンタルフロスに歯槽膿漏治療剤をつけて、患部の歯の周りや、患部の歯周ポケットの奥に入れて、歯槽膿漏治療剤を患部に万遍なく至らせる。その後、口をすすぐ。以上の工程を一日数回繰り返すことで高い治療効果を得ることができる。【選択図】なし【特許請求の範囲】
【請求項１】
粉末状の重曹と、粉末状の塩とを一定比率で混合させたことを特徴とする歯槽膿漏治療剤。
【請求項２】
前記重曹と前記塩とは重量比１：１の割合で混合される請求項１に記載の歯槽膿漏治療剤。
【発明の詳細な説明】
【技術分野】
【０００１】
本発明は、歯槽膿漏を治療するための薬剤に関する。
【背景技術】
【０００２】
歯槽膿漏は、歯周病菌によって、歯茎、歯根、歯槽骨が炎症を起こし破壊されていく病気であり、初期段階の歯茎の炎症である歯肉炎から骨に至る歯周炎へと進行していく。歯槽膿漏の治療薬としては、殺菌作用や抗炎作用を薬効とする成分を有するものが主に使用される。
【発明の開示】
【発明が解決しようとする課題】
【０００３】
ところで、殺菌作用や抗炎症作用による治療は、症状の緩和を図ることはできるが、歯槽膿漏自体を治療することはできない。
これに対し、本願発明の発明者は、歯槽膿漏の治療に際し、重曹と塩を混ぜたものを歯槽膿漏に使用したところ、歯槽膿漏を治療することに成功した。
本発明は、このような経験に基づき、効果の高い歯槽膿漏の治療剤を提供することを課題とする。
【課題を解決するための手段】
【０００４】
上記課題を解決するために、本発明は次のような構成を有する。
請求項１に記載の発明は、粉末状の重曹（NaHCO３）と、粉末状の塩（NaCl）とを一定比率で混合させたことを特徴とする歯槽膿漏治療剤である。
請求項２に記載の発明は、前記重曹と前記塩とは重量比１：１の割合で混合される請求項１に記載の歯槽膿漏治療剤である。
【発明の効果】
【０００５】
上記の構成を有する歯槽膿漏治療剤を歯ブラシやデンタルフロスをを用いて、患部に一日数回刷り込むことで、歯槽膿漏を完治もしくは症状の大幅な改善をもたらすことができる。
【発明を実施するための最良の形態】
【０００６】
以下、本発明の実施形態について説明する。
本実施形態に係る歯槽膿漏治療剤は、市販の粉末状の重曹と塩を重量比で１対１の割合で容器に入れ、スプーンで混合することにより得られる。
次に、この歯槽膿漏治療剤の使用方法について説明する。まず、使用者は、粉末状の歯槽膿漏治療薬剤を歯ブラシで混ぜることで、歯ブラシに歯槽膿漏治療剤を十分につけて、この状態で歯ブラシにより患部全体を磨く。次に、デンタルフロスに歯槽膿漏治療剤をつけて、このデンタルフロスを患部の歯の周りや、患部の歯周ポケットの奥に入れて、歯槽膿漏治療剤を患部に万遍なく至らせる。その後、口をすすぐ。以上の工程を一日数回繰り返す。
【０００７】
上記の使用法により本実施の形態にかかる歯槽膿漏治療剤を５人の被験者に試してもらった。その結果、二人の被験者は一度の使用で完治し、二人の被験者は三度の使用で完治し、残りの一人は、6度の使用で症状が大幅に改善された。
このように、本実施形態に係る歯槽膿漏治療剤は、歯槽膿漏に対して大変治療効果が高いものであると認められる。
(57)【要約】【課題】  定着後の用紙に生じたカールを除去することができる排紙装置を提供する。【解決手段】  定着部１下流側に、同一の軸に複数取り付けられた排紙ローラ３と、同一の軸に複数取り付けられ各排紙ローラ３に圧接する従動ローラ４とを有する排紙装置において、用紙幅方向外側の排紙ローラ３と従動ローラ４を互いにずらして配置した。【選択図】        図２
2007171794.tif 000002
【特許請求の範囲】
【請求項１】
定着部下流側に、同一の軸に複数取り付けられた排紙ローラと、同一の軸に複数取り付けられ前記各排紙ローラに圧接する従動ローラとを有する排紙装置において、用紙幅方向外側の排紙ローラと従動ローラを互いにずらして配置したことを特徴とする排紙装置。
【請求項２】
用紙幅方向外側の排紙ローラと従動ローラのいずれか一方を用紙幅方向に移動可能に設けたことを特徴とする請求項１記載の排紙装置。
【請求項３】
用紙幅方向外側の排紙ローラと従動ローラを同一のゴム材質で構成したことを特徴とする請求項１または２記載の排紙装置。
【請求項４】
請求項１乃至３のいずれか一項記載の排紙装置を搭載したことを特徴とする画像形成装置。
【発明の詳細な説明】
【技術分野】
【０００１】
本発明は、定着部下流側の排紙装置及びこの排紙装置を搭載した電子写真方式の画像形成装置に関する。
【背景技術】
【０００２】
電子写真方式の画像形成装置においては、感光体上に形成されたトナー像が転写部で用紙に転写され、用紙は転写部下流側に配置された定着部に搬送され、定着部を構成する定着ローラ対（加熱ローラと加圧ローラ）のニップ部を通過する過程で未定着トナー像が用紙に加熱定着されるようになっている。そして、用紙はその後、排紙ローラによって排紙部に排紙される。
【発明の開示】
【発明が解決しようとする課題】
【０００３】
ところで定着部を通過した用紙は加熱されているため、用紙にカールが生じてしまうことがある。用紙にカールが生じていると排紙部に排紙される前に用紙がジャムする場合があり、またジャムにならなくても、排紙された用紙が積載方向に嵩張ってしまい、排紙性が悪くなるという問題がある。
そこで、本発明は定着後の用紙に生じたカールを除去することができる排紙装置及び画像形成装置を提供することを目的とする。
【課題を解決するための手段】
【０００４】
上記目的を達成するために、請求項１記載の発明は、定着部下流側に、同一の軸に複数取り付けられた排紙ローラと、同一の軸に複数取り付けられ各排紙ローラに圧接する従動ローラとを有する排紙装置において、用紙幅方向外側の排紙ローラと従動ローラを互いにずらして配置した排紙装置を最も主要な特徴とする。
請求項２記載の発明は、用紙幅方向外側の排紙ローラと従動ローラのいずれか一方を用紙幅方向に移動可能に設けた請求項１記載の排紙装置を主要な特徴とする。
請求項３記載の発明は、用紙幅方向外側の排紙ローラと従動ローラを同一のゴム材質で構成した請求項１または２記載の排紙装置を主要な特徴とする。
請求項４記載の発明は、請求項１乃至３のいずれか一項記載の排紙装置を搭載した画像形成装置を最も主要な特徴とする。
【発明の効果】
【０００５】
本発明は、定着部下流側に、同一の軸に複数取り付けられた排紙ローラと、同一の軸に複数取り付けられ各排紙ローラに圧接する従動ローラとを有する排紙装置において、用紙幅方向外側の排紙ローラと従動ローラを互いにずらして配置したので、定着後の用紙に生じたカールを除去することができる。
【発明を実施するための最良の形態】
【０００６】
以下、図面を参照して、本発明の実施形態を詳細に説明する。
図１は本発明の第１の実施形態に係る排紙装置近傍の斜視図である。定着部を構成する定着ローラ対１の下流側に隣接して用紙の搬送ガイドを行う搬送ガイド対２が設けてあり、その搬送ガイド対２の下流側に隣接して、排紙装置を構成する排紙ローラ（駆動ローラ）３と従動ローラ４とが設けてある。
図に示すように、排紙ローラ３、従動ローラ４は夫々各軸Ｓ１、Ｓ２に４つずつ設けてあり、対向する排紙ローラ３、従動ローラ４同士は圧接しており、このニップ間に定着済みの用紙を通紙して図示しない排紙トレイに排紙するようになっている。そして、用紙幅方向両端のローラ対にあっては、従動ローラ４が排紙ローラ３よりも軸方向外側になるように、両者の位置がずれている。
【０００７】
図２は図１に示す排紙装置によるカール除去の様子を示す説明図である。定着ローラ対１から排紙された用紙Ｐは幅方向両端部が上方に湾曲するカールが生じている。この用紙Ｐが排紙ローラ３と従動ローラ４のニップ部に通紙されると、上述したように、用紙幅方向両端のローラ対にあっては、上側の従動ローラ４が下側の排紙ローラ３よりも外側になるように、両者の位置がずれているので、ずれている端部（駆動ローラ３の外側端部）で逆カール付けが行われるのでカールの矯正を行うことができる。
図３は本発明の第２の実施形態に係る排紙装置近傍の斜視図である。従動ローラ４はブラケット５に固定され、そのブラケット５は、一対のプーリ６、６に掛け渡されたタイミングベルト７に取り付けられている。タイミングベルト７は駆動モータ８によりプーリ６を介して駆動される。これによりブラケット５及び従動ローラ４は用紙の幅方向に移動可能となっている。
【０００８】
図４（１）、（２）は、図３に示す排紙装置によるカール除去の様子を示す説明図である。搬送されてくる用紙Ｐの幅方向端部が下向きにカールしている場合は、図４（１）に示すように、従動ローラ４を中心方向（左方向）に移動して、上向きの逆カールを付ける。これによりカールを矯正することができる。
また搬送されてくる用紙Ｐの幅方向端部が上向きにカールしている場合は、図４（２）に示すように、従動ローラ４を外側方向（右方向）に移動して、下向きの逆カールを付ける。これによりカールを矯正することができる。なお、従動ローラを固定する一方で、排紙ローラ３を移動させるようにしてもよい。
ここで排紙ローラ３と従動ローラ４とを同じ弾性体のゴム材質とすると、ずれている排紙ローラ３と従動ローラ４の端部位置であるＣ点における、用紙の折れ曲がりを防止することができる。
【図面の簡単な説明】
【０００９】
【図１】本発明の第１の実施形態に係る排紙装置近傍の斜視図。
【図２】図１に示す排紙装置によるカール除去の様子を示す説明図。
【図３】本発明の第２の実施形態に係る排紙装置近傍の斜視図。
【図４】図３に示す排紙装置によるカール除去の様子を示す説明図。
【符号の説明】
【００１０】
１  定着ローラ対（定着部）
２  搬送ガイド対
３  排紙ローラ
４  従動ローラ
【図１】
2007171794.tif 000003
【図２】
2007171794.tif 000004
【図３】
2007171794.tif 000005
【図４】
2007171794.tif 000006
(57)【要約】【課題】  認証作業を簡易化することにより、ユーザの作業負担と作業時間を軽減することができる画像形成装置を提供する。【解決手段】  認証機能を有する画像形成装置において、文字列データを含む画像を読み取る画像読取手段３と、認証用の文字列データを記憶する記憶手段４と、読み取られた文字列データと記憶されている文字列データを比較して認証の可否を判断する制御手段１とを備えた。【選択図】        図１
2007171797.tif 000002
【特許請求の範囲】
【請求項１】
認証機能を有する画像形成装置において、文字列データを含む画像を読み取る画像読取手段と、認証用の文字列データを記憶する記憶手段と、読み取られた文字列データと記憶されている文字列データを比較して認証の可否を判断する制御手段と、を備えたことを特徴とする画像形成装置。
【請求項２】
請求項１記載の画像形成装置において、認証機能の実行に際し、文字列データの入力を仮想キーボードで行うか前記画像読取手段で行うか選択させる表示画面を有する操作表示手段を備えたことを特徴とする画像形成装置。
【請求項３】
請求項２記載の画像形成装置において、認証に失敗した場合、前記制御手段はその旨を前記操作表示手段に表示させることを特徴とする画像形成装置。
【発明の詳細な説明】
【技術分野】
【０００１】
本発明は、認証機能を有する画像形成装置に関する。
【背景技術】
【０００２】
近年、機密保護の観点から、登録された特定のユーザのみが使用することのできる画像形成装置、つまり認証機能を有する画像形成装置が普及している。認証機能を有する画像形成装置においては、ユーザは認証に際して自身のＩＤとなる文字列データを操作表示手段の仮想キーボードに入力する。制御手段は入力された文字列データと、予め登録されている文字列データとを比較して、合致すれば機械の使用を許可する。なお、先行文献としては特許文献１等がある。
【特許文献１】特開２００４−２７６２７１公報
【発明の開示】
【発明が解決しようとする課題】
【０００３】
しかしながら、仮想キーボードを用いて文字列データを入力する場合、ユーザに対して多くの作業負担と作業時間を必要としてしまうという問題がある。
特に、複数の画像形成装置に同じ文字列データを入力する場合、作業負担と作業時間は大きなものとなる。また、同一の画像形成装置であっても、認証機能においては画像形成装置を利用するたびに同じ文字列データを入力する必要があり、その場合はやはり作業負担と作業時間は大きなものとなる。
本発明は、認証作業を簡易化することにより、ユーザの作業負担と作業時間を軽減することができる画像形成装置を提供することを目的とする。
【課題を解決するための手段】
【０００４】
上記目的を達成するために、請求項１記載の発明は、認証機能を有する画像形成装置において、文字列データを含む画像を読み取る画像読取手段と、認証用の文字列データを記憶する記憶手段と、読み取られた文字列データと記憶されている文字列データを比較して認証の可否を判断する制御手段と、を備えた画像形成装置を特徴とする。
請求項２記載の発明は、請求項１記載の画像形成装置において、認証機能の実行に際し、文字列データの入力を仮想キーボードで行うか前記画像読取手段で行うか選択させる表示画面を有する操作表示手段を備えたことを特徴とする。
請求項３記載の発明は、請求項２記載の画像形成装置において、認証に失敗した場合、前記制御手段はその旨を前記操作表示手段に表示させることを特徴とする。
【発明の効果】
【０００５】
本発明によれば、制御手段において、画像読取手段により読み取った文字列データを含む画像と、記憶手段に記憶した認証用の文字列データとを比較して認証の可否を判断しているので、認証作業を簡易化することが可能になり、ユーザの作業負担と作業時間を軽減することができる。
【発明を実施するための最良の形態】
【０００６】
以下、本発明の実施形態を図面に従って説明する。
図１は本発明の実施形態に係る画像形成装置の簡易ブロック図である。本発明に関係あるモジュールのみ示してある。制御手段１に操作表示手段２と画像読取手段３と記憶手段４が接続されている。操作表示手段２は周知の仮想キーボードを有している。記憶手段４には認証用の文字列データが記憶されている。
図２は認証機能が有効である場合に操作表示手段上に表示されている画面を示す図である。また図３は本発明の画像形成装置における認証機能の処理シーケンスを示す図である。
ユーザが画像形成装置にログインを要求した状態で、制御手段１は操作表示手段２を図２の画面にしてユーザに入力方法を尋ねる（Ｓ１）。ユーザが図２の画面において「文字を入力する」キー２２を押下すると（Ｓ１でＮ）、仮想キーボードからの文字列データの入力となる（Ｓ２）。
ユーザが図２の画面において「画像を読み取る」キー２１を押下すると（Ｓ１でＹ）、画像読取手段３から文字列データを含む画像データを取り込む（Ｓ３）。取り込んだ画像データから認証情報と利用機能制限情報、利用期間情報を抽出する（Ｓ４）。そして記憶手段４に記憶された情報を基に、取得した認証情報から機器にユーザがログイン可能どうかを判断する（Ｓ５）。
ログイン不可能であった場合は（Ｓ５でＮ）、ログイン不可能であることをユーザに通知する（Ｓ６）。例えば図４に示すように、操作表示手段２の画面に「認証に失敗いたしました」と表示する。ログイン可能であった場合は（Ｓ５でＹ）、認証情報を基にユーザをログインしている状態にする（Ｓ７）。
【図面の簡単な説明】
【０００７】
【図１】本発明の実施形態に係る画像形成装置の簡易ブロック図。
【図２】認証機能が有効である場合に操作表示手段上に表示される画面を示す図。
【図３】本発明の画像形成装置における認証機能の処理シーケンスを示す図。
【図４】認証に失敗した場合に操作表示手段上に表示される画面を示す図。
【符号の説明】
【０００８】
１  制御手段、２  操作表示手段、３  画像読取手段、４  記憶手段
【図１】
2007171797.tif 000003
【図２】
2007171797.tif 000004
【図３】
2007171797.tif 000005
【図４】
2007171797.tif 000006
(57)【要約】【課題】  外出する際に着用するマスクを、防塵効果を損ねることなく、訴求効果の高い広告媒体として活用できる着脱可能な広告スペースを備えたシートを提供する。【解決手段】  本発明のシートを装着することによって、マスクを移動広告媒体して活用することができ、さまざまな場所で広告ができる。マスクはどれも同じような外観なので、本発明のシートを装着したマスクは見た目にインパクトが強く、多くの人から注目され、訴求力のある移動広告媒体となる。【選択図】図１
2007171889.tif 000002
【特許請求の範囲】
【請求項１】
粉塵及び花粉から呼吸器官を守るマスクに装着することにより、このマスクを広告媒体として活用することができる、広告スペースを備えた、着脱可能なシート。
【発明の詳細な説明】
【技術分野】
【０００１】  本発明は、粉塵や花粉から呼吸器官を守ることのできるマスクに装着することにより、このマスクを移動広告媒体として活用することのできる、広告スペースを備えた着脱可能なシートに関するものである。
【背景技術】
【０００２】  従来のマスクは、粉塵や花粉から呼吸器官を守るための機能を備えてはいるが、その表面には装飾がなく、見た目にはどれも同じようなものである。【０００３】  従来の広告媒体としては、新聞広告、折り込みチラシ、バス等の車体に施された広告、看板、街中で配布されるチラシなどがあるが、新聞広告や折り込みチラシは、インターネットの発達により、新聞購読数が減少しているため、その効果は薄い。また、バス等の車体に施された広告に関しては、一般の人は見慣れているため、その広告効果には疑問があり、街中で配布されるチラシは、ほとんど読まれずに捨てられているのが現状である。
【発明の開示】
【発明が解決しようとする課題】
【０００４】  解決しようとする問題点は、従来の広告媒体はすでに、一般の人には目新しさがなく、広告としての効果に疑問がある。また広告主は、常に訴求効果の高い広告媒体を求めているという点である。
【課題を解決するための手段】
【０００５】  本発明は、マスクに装着することによって、このマスクを移動広告媒体として活用できることを最も主要な特徴とする。
【発明の効果】
【０００６】  本発明のシートは、広告スペースを備え、また着脱可能としたことによって、本発明のシート数枚にそれぞれ異なる広告を表示しておくことにより、広告したい場所において交換することも可能となり、これをマスクに装着することによって、このマスクを移動広告媒体として活用できるという利点がある。
【発明を実施するための最良の形態】
【０００７】  通気性のよい素材のシートに広告スペースを備えることにより、これを装着した際にも、従来のマスクとしての防塵効果、及び呼吸に影響することなく、また、取り付け具を着脱可能な物とすることによって、マスクを移動広告媒体として活用できることを実現した。
【実施例１】
【０００８】  図１は、本発明のシートをマスクに装着し、そのマスクを着用した時の正面図であり、１はシート、２は広告スペース、３は着脱可能取り付け具、４はマスク、５はマスク取り付け具である。
【産業上の利用可能性】
【図面の簡単な説明】
【図１】  マスクに本発明のシートを装着し、そのマスクを着用した正面図である。
【符号の説明】
１  シート
２  広告スペース
３  着脱可能取り付け具
４  マスク
５  マスク取り付け具
【図１】
2007171889.tif 000003
(57)【要約】      （修正有）【課題】視認性を高め、手ぶれを気にせずに利用できる波線の描けるレーザーポインターを提供する。【解決手段】レーザーポインターの光線放射を遮断しない場所に、小型振動機を設ける。レーザーポインターを使用する時は、小型振動機を駆動させながら、レーザー光を照射する。照射されたレーザー光は、振動によって小さな円を描き、その光を指示したい場所で回転させたり、左右上下に動かすと、円の直径の振幅をもった波型の照明光として描かれる。【選択図】図１
2007171888.tif 000002
【特許請求の範囲】
【請求項１】
レーザーポインター（１）の光線放射を遮断しない場所に、小型の振動機（２）を設ける。
以上の構成よりなる波線が描けるレーザーポインター。
【発明の詳細な説明】
【技術分野】
【０００１】  この発明は、レーザーポインターの光線放射を遮断しない場所に小型振動機を設けた波線が描けるレーザーポインターに関するものである。
【背景技術】
【０００２】  従来、レーザーポインターは、指示したい場所に光を当て、レーザーポインターを握る手を回旋させたり、小刻みに振ったりして、光線を動かしていた。
【発明の開示】
【発明が解決しようとする課題】
【０００３】  これには次のような欠点があった。レーザーポインターを握る手元のわずかな動きにより、照射光が流れ去り、視認性が弱かった。
【課題を解決するための手段】
【０００４】  レーザーポインターの光線放射を遮断しない場所（１）に、小型の振動機（２）を設ける。本発明は以上の構成よりなる波線が描けるレーザーポインターである。
【発明の効果】
【０００５】  照射されたレーザー光は、振動によって、高速に回転する小さな光の円を描く。その光の円を、指示したい場所で回転させたり、左右上下に動かすと、円の直径の振幅をもった波型の照射光として描かれ、その結果、視認性が優位に向上する。
また手ぶれによる指示のしにくさも、波型の照射光により優位に解消される。
【発明を実施するための最良の形態】
【０００６】  以下、本発明を実施するための最良の形態について説明する。
レーザーポインターの光線放射を遮断しない場所に、小型の振動機を設ける。
本発明は、以上のような構造で、これを使用するときは、小型振動機を駆動させながら、レーザー光を照射すればよい。
【図面の簡単な説明】
【０００７】
【図１】  本発明の斜視図である。
【符号の説明】
【０００８】  １  レーザーポインター
２  小型振動機
【図１】
2007171888.tif 000003
(57)【要約】【課題】  救命救急医療現場や災害医療現場で、極めて迅速に（１５秒程度）、分時呼吸数と分時脈拍数を測定することのできる小型で、携帯可能な装置と方法の開発【解決手段】    呼吸や脈拍のインターバル時間（ｔ秒）をストップウォッチ方式で測定し、１分間での回数を６０秒÷ｔ秒で自動的に計算し、直ちに表示するデジタル時計を作製する。さらに、連続する複数のインターバルを連続するボタン操作により測定し、得られた複数のデータの平均値からより正確な１分間の回数を自動的に計算、直ちに表示する機能も追加する。具体的には、連続する呼吸を２−３回観察し、吸気の開始にあわせてボタン操作することにより約１０秒程度で分時呼吸数を計測し、さらに、連続する脈拍を４−６回触診しながら、脈拍に同期したボタン操作をすることにより、約５秒程度で分時脈拍数を計測する。これらの操作により、分時呼吸数と分時脈拍数の測定が約１５秒程度で可能となる。【選択図】なし【特許請求の範囲】
【請求項１】
分時呼吸数（１分間の呼吸回数）や分時脈拍数（１分間の脈拍数）を極めて迅速に計測するための以下の方法。デジタル時計を用いて、呼吸間や脈拍間の時間間隔（インターバル）（ｔ秒）をストップウォッチ方式で測定し、６０÷ｔの式で分時回数を時計内で自動的に計算し、直ちに表示させる方法。
【請求項２】
請求項１の方法の精度を上げるために、この測定を連続的に複数回行い、得られたインターバルの複数データｔ１、ｔ２、・・・ｔｎの平均値ｔｍを用いて、６０÷ｔｍの式で自動的に計算し、直ちに表示させる方法。
【発明の詳細な説明】
【技術分野】
【０００１】  本発明はデジタル時計による呼吸数・脈拍数の迅速測定法に関する。
【背景技術】
【０００２】  従来のデジタル時計には時間間隔を測定するストップウォッチ機能や演算機能を有しているものがある。
【発明の開示】
【発明が解決しようとする課題】
【０００３】  救命救急医療や災害医療の初療現場では、分時呼吸数・脈拍数を極めて迅速に定量的に測定し、その後の搬送や治療の手順を決定する必要がある。従来、呼吸数であれば、１分間もしくは最短でも３０秒間を時計で確認しながら、その間の呼吸回数を数え、１分間の呼吸数を出す方法が取られている。また、脈拍数では、通常１５秒間を時計で確認しながら、その間の脈拍回数を数え、４倍して１分間の脈拍数を計算する方法が取られている。しかし、これらの方法では、分時呼吸数と脈拍数を測定するのに、最短でも１分近くかかってしまうことになる。重症外傷の病院前処置の日本のガイドラインであるＪＰＴＥＣによれば、頭部固定，意識レベル、呼吸、脈拍の確認を１５秒以内に行うことが求められており、また、災害現場で行われるトリアージでは、意識、分時呼吸数、分時脈拍数を基に、３０秒以内に、患者の状態を分別することが求められている。従来の方法では、これらの要求に応えることができない。
【課題を解決するための手段】
【０００４】  より迅速に分時呼吸数を測定するために、呼吸間の時間間隔（インターバル）を測定し、その時間から分時呼吸数を計算する。デジタル時計を用いれば、測定、計算、表示を行える。測定は、ストップウォッチ形式でボタン操作２回（スタート−ストップ）で行う。この時、スタートはある呼吸の吸気開始時であり、ストップは次の呼吸の吸気開始時である。測定された呼吸間インターバルをｔ秒とすると、分時呼吸数は、６０秒÷ｔ秒で得られる。この計算を時計内で自動的にボタン操作なしで行い、直ちに、ディスプレイに計算された分時呼吸数を表示する。
連続する３呼吸でそれぞれボタン操作すれば、呼吸間インターバルの数値が２データ得られるので、さらに正確な分時呼吸数が測定できる。一般的に表現すれば、得られたインターバルの複数データｔ１、ｔ２、・・・ｔｎの平均値ｔｍを用いて、６０÷ｔｍの式で自動的に計算し、直ちに表示させる。
分時脈拍数も同様の方法で測定することができる。脈拍数の測定では、連続する４−６回の脈拍を触診しながら、これに同期させるようにボタン操作をして、同様に平均値を自動的に計算し、直ちに表示する。
【発明の効果】
【０００５】  この方法により、分時呼吸数は１０秒程度、分時脈拍数は５秒程度、あわせて１５秒程度で測定でき、従来の方法では１分近くかかっていたものを格段に短くすることができる。これにより、救命救急医療や災害医療の初療現場での要求を満たすことが可能になる。
【発明を実施するための最良の形態】
【０００６】  測定、計算、表示のために、デジタル時計である必要がある。ストップウォッチ型か、腕時計型で、携帯できる型がよい。腕時計型の場合は、連続的なボタン操作がやり易い形態がよい。いずれの型式でも、最低１ボタン操作で、測定モードに入れる必要がある。
【実施例】なし
【産業上の利用可能性】
【０００７】  救急医療、災害医療現場の医師、看護師、救急救命士、救急隊員に高いニーズがある。プロスポーツなどのスポーツ現場や、健康管理の現場でも脈拍数の測定はニーズがある。
(57)【要約】【課題】  建築現場などで、巻尺を使用し採寸した数字や文字を筆記する際、巻尺自体に固定して筆記できる巻尺用メモ装置を提供する。【解決手段】  筆記の出来る板にそれを保護する開閉式の蓋を設け、巻尺自体の側面に固定して、一体化し使用する事を特徴とする保護蓋付き巻尺用メモ装置。【選択図】図１
2007171148.tif 000002
【特許請求の範囲】
【請求項１】
筆記のできる板にその板を保護する為の蓋を設け、巻尺自体に取り付けて一体化して使用することを特徴とする保護蓋付き巻尺用メモ装置。
【発明の詳細な説明】
【技術分野】
【０００１】  本発明は、建築現場などで巻尺を使用し、採寸した数字や文字を巻尺自体に保護蓋付きの筆記できる板を取り付け、筆記する事が出来る装置に関するものである。
【背景技術】
【０００２】  従来、建築現場等で巻尺を使用する際、採寸した数字や文字は、ノートやメモ紙などに、筆記するか巻尺自体の側面に書き込んでいた。
【発明の開示】
【発明が解決しようとする課題】
【０００３】  そのために、次のような問題点があった。
ノートやメモ紙などに書き込むとき、屋外では風でめくれしまい筆記が不自由であるし、雨の時は破れてしまうこともある。また、足元の不安定な所、例えば脚立の上とか片手で何かにつかまりながらの採寸では、巻尺、ノートやメモ紙など、筆記具、と同時に手にする事が困難である。そのため巻尺自体に書き込む場合もあるが、書いた数字や文字を誤って手で触れてしまいせっかく採寸し筆記した数字や文字を不鮮明にしたり消してしまったりする。するとはじめからやり直ししなければならない。
また、巻尺は、道具袋の中に入れて持ち歩くことが多く、道具袋の中には他に金属製の工具や釘などがあり、巻尺自体に傷が付いてしまい筆記の鮮明さに欠けてくる。
本発明は以上の問題点を解決しようとするものである。
【課題を解決するための手段】
【０００４】  筆記の出来る板に、それを保護する開閉式の蓋を設け、その板と蓋の内側を筆記する所として使用し筆記後は蓋を閉める。使用する巻尺自体の側面に両面テープや、接着剤、またはネジなどで固定して一体化する。
以上を特徴とする保護蓋付き巻尺用メモ装置である。
【発明の効果】
【０００５】  本発明は、板状のメモであるから、風のある屋外での使用時にノートやメモ紙などのように風でめくれたり破れたりしないし、足場の不安定な所でも巻尺と一体化したメモ装置であるから、手にノート、メモ紙などを持たなくても良くなる。また、保護蓋があるから、筆記したものを誤って手や指で触れてしまい不鮮明になったり消してしまったりする事も無い。また、他の工具等と接触していても筆記する所に傷が付く事も無い。
よって作業能率が良くなる。
【発明を実施するための最良の形態】
【０００６】    以下、本発明の実施の形態を説明する。
筆記のできる板（１）は、硝子の様に表面が鏡面状でなく鉛筆などで筆記できる物であれば樹脂でも、金属でもよくその筆記できる板の一辺に支点（２）を設け、その板に覆いかぶさる大きさのふちのある保護蓋（３）を装着し開閉できるものにする。巻尺の側面（４）と筆記できる板の裏面（５）に、接着剤や両面テープを付けるかネジ等で固定し巻尺と一体化する。筆記するとき保護蓋を開き、筆記できる板と保護蓋の内側を使用し、筆記後は保護蓋を閉める。この結果、ノートやメモ紙を用意しなくても済むし筆記したものを不鮮明にする事や、筆記面（６）に傷を付けることも無くなる。
【図面の簡単な説明】
【０００７】
【図１】本発明の使用状態を示す斜視図
【図２】本発明の斜視図
【図３】本発明の保護蓋を閉じた状態を示す側面図
【図４】本発明の保護蓋を開いた状態を示す側面図
【図５】本発明の保護蓋の開閉状態を示す平面図
【符号の説明】
【０００８】１  筆記の出来る板
２  支点
３  保護蓋
４  巻尺の側面
５  筆記出来る板の裏面
６  筆記面
【図１】
2007171148.tif 000003
【図２】
2007171148.tif 000004
【図３】
2007171148.tif 000005
【図４】
2007171148.tif 000006
【図５】
2007171148.tif 000007
(57)【要約】      （修正有）【課題】商品が分かりやすい動画を何時でも何処でも無料で気軽に見られるようにする。【解決手段】携帯電話という何時でも何処でも動画を見られる端末を使って、動画を無料配信する事により、気軽に見られるようにした。モバイル動画による商品説明、独自商品の企画販売、低価格仕入れやギャザリング等による低価格販売を軸とするＴＶショッピングチャンネルを放映し、放映された商品の販売サイトまで索引し、アフェリエイトによる収益回収を行う。【選択図】図１
2007053708.tif 000002
【特許請求の範囲】
【請求項１】
全ての３Ｇ携帯ユーザーを対象にした、完全無料のストリーミング配信の新サービス、モバイル放送局
【発明の詳細な説明】
【技術分野】
【０００１】本発明は、何時でも何処でも見られる携帯電話で動画を無料配信する事により、多くの人に動画を見てもらい、動画で興味を持った商品を購入した場合、その商品販売者より広告費をもらうビジネスモデルである。
【背景技術】
【０００２】従来は、携帯電話で動画を完全無料配信する事により、商品を売るビジネスモデルは無かった。
【発明の開示】
【発明が解決しようとする課題】
【０００３】商品が分かりやすい動画を何時でも何処でも無料で気軽に見ることは出来なかった。本発明は、この課題を解消するためになされたものである。
【課題を解決するための手段】
【０００４】携帯電話という何時でも何処でも動画を見られる端末を使って、動画を無料配信する事により、気軽に見られるようにした。
【実施例】
【０００５】モバイル動画による商品説明、独自商品の企画販売、低価格仕入れやギャザリング等による低価格販売を軸とするＴＶショッピングチャンネルを放映し、放映された商品の販売サイトまで牽引し、アフェリエイトによる収益回収を行います。
【発明の効果】
【０００６】本来、自宅でテレビ・パソコンを付けないと見られない動画が、家に帰らなくても無料でいつでもどこでも見られるようになると同時に、自分の見たい商品案内をより分かりやすい動画で確認し、購入する事が出来る。
【図面の簡単な説明】
【０００７】
【図１】掲帯電話にて、商品動画をオンデマンドで配信し（ｅｇ・掲帯ＴＶショッピング２４）、掲帯電話使用者が見たい動画を見たい時に見たいだけ無料で閲覧し、購入したい場合は商品を発注し、弊社もしくは業務掲携先より商品を送って決済する（キャリア決済・代金引換等）ビジネスモデルである。
【図１】
2007053708.tif 000003